(57)【特許請求の範囲】
【請求項１】
格子状の複数のフレームを組み立てることによって形成されるフレーム部材と、
前記フレーム部材に取り付けられたスピーカおよび当該スピーカのバッフル板と、
前記フレーム部材に貼り付けられたパネル部材と、
を備えたことを特徴とするオーディオ再生装置。
【請求項２】
前記パネル部材は、前記バッフル板と略同一の平面を形成するように前記フレーム部材に貼り付けられたことを特徴とする請求項１に記載のオーディオ再生装置。
【請求項３】
前記パネル部材は、前記フレーム部材から着脱可能に取り付けられていることを特徴とする請求項１または２に記載のオーディオ再生装置。
【請求項４】
前記パネル部材は、複数枚のパネルから構成されており、各パネルごとに着脱可能に取り付けられていることを特徴とする請求項３に記載のオーディオ再生装置。
【請求項５】
前記フレーム部材に取り付けられた表示装置を備えたことを特徴とする請求項１に記載のオーディオ再生装置。
【請求項６】
前記表示装置は、当該表示装置の表面が前記バッフル板と略同一の平面を形成するように前記フレーム部材に取り付けられたことを特徴とする請求項５に記載のオーディオ再生装置。
【請求項７】
前記フレーム部材を移動可能とするキャスターを備えたことを特徴とする請求項１に記載のオーディオ再生装置。
【請求項８】
前記フレーム部材に連結された収納部材を備えたことを特徴とする請求項１に記載のオーディオ再生装置。
【請求項９】
前記収納部材には、低域用スピーカおよびメディア再生装置を収納することを特徴とする請求項８に記載のオーディオ再生装置。
【請求項１０】
表示装置、スピーカおよび当該スピーカのバッフル板を取り付け可能であって、格子状の複数のフレームを組み立てることによって形成されるフレーム部材と、
前記フレーム部材に貼り付けたパネル部材と、
を備えたことを特徴とする表示装置用台。
【請求項１１】
さらに、前記フレーム部材に連結された、メディア再生装置を収納可能な収納部材を備えたことを特徴とする請求項１０に記載の表示装置用台。
【発明の詳細な説明】
技術分野
［０００１］
本発明は、ＣＤやＤＶＤなどのオーディオを再生するオーディオ再生装置および表示装置を載置するための表示装置用台に関する。
背景技術
［０００２］
いわゆるオーディオルームやホームシアタなどに設けられるオーディオ再生装置を用いたシステムファニチャーは、取り付け工事によって部屋の壁に直接備え付けるのが一般的であった。
発明の開示発明が解決しようとする課題
［０００３］
しかしながら、上記の従来技術では、設置、移動、撤去にはそれぞれ大がかりな工事が必要となるので、容易に設定、移動、撤去などができないだけでなく、システムの変更を容易にできないという問題点があった。また、壁などを傷つけることになるため、退去の際の原状回復処理が必要となる。したがって、持ち家でないと実現できない場合もあり、マンション（特に賃貸のマンションなど）では実現が難しい場合があるという問題点があった。
［０００４］
また、上記の従来技術では、それぞれ単体のシステムを組み合わせるため、音場の設定などが難しく、また、容易に変更できないという問題点があった。また、上記従来技術では、各装置が埋め込みになっている場合もあり、その場合に、装置が発する熱を放熱するのが難しく、それ故に各装置などに悪影響を及ぼす場合があるという問題点があった。
課題を解決するための手段
［０００５］
請求項１に記載の発明にかかるオーディオ再生装置は、複数のフレームを格子状に組み立てることによって形成されるフレーム部材と、前記フレーム部材に取り付けられたスピーカおよび当該スピーカのバッフル板と、前記フレーム部材に貼り付けられたパネル部材と、を備えたことを特徴とする。
［０００６］
また、請求項１０に記載の発明にかかる表示装置用台は、表示装置、スピーカおよび当該スピーカのバッフル板を取り付け可能であって、格子状の複数のフレームを組み立てることによって形成されるフレーム部材と、前記フレーム部材に貼り付けたパネル部材と、を備えたことを特徴とする。
【図面の簡単な説明】
［０００７］
［図１］図１は、この発明の実施の形態にかかるオーディオ再生装置のフレーム部材の構造を示す説明図（斜視図）である。
［図２−１］図２−１は、この発明の実施の形態にかかるオーディオ再生装置のフレーム部材とサイドスピーカとの取り付けの状態を示す説明図（斜視図）である。
［図２−２］図２−２は、サイドスピーカの背面の状態を示す説明図（斜視図）である。
［図３−１］図３−１は、この発明の実施の形態にかかるオーディオ再生装置のフレーム部材とフロントスピーカとの取り付けの状態を示す説明図（斜視図）である。
［図３−２］図３−２は、センタースピーカの背面の状態を示す説明図（斜視図）である。
［図４］図４は、この発明の実施の形態にかかるオーディオ再生装置の収納部材の構造を示す説明図（斜視図）である。
［図５］図５は、この発明の実施の形態にかかるオーディオ再生装置の収納部材の背面の構造を示す説明図（斜視図）である。
［図６］図６は、この発明の実施の形態にかかるオーディオ再生装置のパネル部材の構造を示す説明図（斜視図）である。
［図７］図７は、この発明の実施の形態にかかるオーディオ再生装置のパネル部材の別の構造を示す説明図（斜視図）である。
［図８］図８は、この発明の実施の形態にかかるオーディオ再生装置の収納部材のセンターキャビネットの構造を示す説明図（斜視図）である。
［図９］図９は、この発明の実施の形態にかかるオーディオ再生装置の収納部材のセンターキャビネットの背面の構造を示す説明図（斜視図）である。
［図１０］図１０は、この発明の実施例にかかるオーディオ再生装置の全体の外観を示す説明図（正面図）である。
［図１１］図１１は、図１０に対応したフレーム部材の構造および表示装置を示す説明図（正面図）である。
［図１２］図１２は、この発明の実施例にかかるオーディオ再生装置の全体の外観を示す説明図（側面図）である。
【符号の説明】
【０００８】
１０１，１０２，１０３，１０４  フレーム
１０５  キャスター
２０１  バッフル板（サイド（右）スピーカ用）
２０２  バッフル板取付具
２０３，２０４  サイドスピーカ取付孔
２０５  サイドスピーカ収納箱
２０６  サイドスピーカ背面板
３０１  バッフル板（センタースピーカ用）
３０２  バッフル板取付具
３０３，３０４，３０５，３０６，３０７  センタースピーカ取付孔
３０８  センタースピーカ収納箱
３０９  コード取出口
４０１  天板
４０２  低域用スピーカ収納箱（左側）
４０３  低域用スピーカ収納箱（右側）
４０４  センターキャビネット
４０５  センターキャビネット用開閉扉（左側）
４０６  センターキャビネット用開閉扉（右側）
４０７  低域用スピーカ・カバー（左側）
４０８  低域用スピーカ・カバー（右側）
４０９  キャスター
４１０  脚部
５０１，９０１，９０３  センターキャビネット背面カバー
６０１〜６０５，７０１〜７０５  バッフル・パネル
６０６，７０６  センタースピーカ・カバー
６０７，６０８，７０７，７０８  サイドスピーカ・カバー
６０９，７０９  表示装置領域
６１０  マジックテープ（登録商標）
８０１，８０３  センターキャビネット前面カバー
８０２，８０４  スライドテーブル
８０５  キャビネット内ラック
９０２，９０４  背面カバー孔
１０００  オーディオ再生装置
１００１  表示装置
【発明を実施するための最良の形態】
【０００９】
以下に添付図面を参照して、この発明にかかるオーディオ再生装置の好適な実施の形態を詳細に説明する。
【００１０】
（オーディオ再生装置のフレーム部材の構造）
図１は、実施の形態にかかるオーディオ再生装置のフレーム部材の構造を示す説明図（斜視図）である。図１において、この発明の実施の形態にかかるオーディオ再生装置は、たとえば４つのフレーム（左側フレーム１０１、右側フレーム１０２、上部フレーム１０３、下部フレーム１０４）からなる。ただし、このような格子状のフレームには限定されない。
【００１１】
各フレームは、それぞれ、たとえばねじ止めによって組み立てることができる。このように、複数のフレームを組み立てることによって、一つのフレームを構成する。各フレーム１０１〜１０４の素材は、たとえばスチール製であり、各フレーム１０１〜１０４は、具体的には、たとえば４０ｍｍ×２５ｍｍの角パイプを用いる。
【００１２】
実施の形態にかかるオーディオ再生装置は、壁に打ち付けるタイプのオーディオ再生装置とは異なり、壁を改造することなく、壁に即して置くだけの構成となっている。実施の形態にかかるオーディオ再生装置のフレーム底部にはキャスター１０５が設けられ、組み付けられたフレーム１０１〜１０４を移動可能とする。これにより、オーディオ再生装置を設置した後でも容易にその設置位置を移動することができる。また、図示を省略するアジャスターをつけることでフレーム１０１〜１０４を所定の位置に固定することが可能となる。
【００１３】
また図１において、４つのフレーム１０１〜１０４が組み付けられることによって中央部に空間領域ができる。この空間領域には、後述する表示装置１００１を取り付ける領域となる。また、フレーム１０１の下側には後述する低域用スピーカ収納箱（左側）４０２を、フレーム１０２の下側には後述する低域用スピーカ収納箱（右側）４０３を、フレーム１０４にはセンターキャビネット４０４をそれぞれ連結する。
【００１４】
図２−１は、実施の形態にかかるオーディオ再生装置のフレーム部材とサイドスピーカとの取り付けの状態を示す説明図（斜視図）である。図２−１において、２０１は、図示を省略するサイドスピーカのバッフル板（右スピーカ用）であり、２０２は、バッフル板２０１をフレーム１０２に取り付けるバッフル板取付具である。また、２０３および２０４は、バッフル板２０１に設けられた、スピーカをはめ込むためのサイドスピーカ取付孔である。
【００１５】
このサイドスピーカ取付孔２０３および２０４にそれぞれあらかじめ定められた径のスピーカ（図示を省略）をはめ込むことでスピーカの取り付けをおこなう。バッフル板取付具２０２は、具体的にはたとえばＬ字金具である。バッフル板２０１が、フレーム１０２に取り付けられると、バッフル板２０１の表面が、フレーム１０２の前面とほぼ同じ面になるように固定することができる。あるいはバッフル板２０１の表面がフレームの前面よりも、後述するバッフル・パネルの厚さ分だけ飛び出す位置に固定することができる。
【００１６】
このバッフル板２０１の取り付け位置が、実施の形態にかかるオーディオ再生装置の特徴の一つとなる。バッフル板２０１と、後述する、上記フレームに貼り付けられるバッフル・パネル６０１〜６０５とが、略同一の平面になるように、すなわち両者の凹凸をなくするように構成することによって、バッフル板２０１と、バッフル・パネル６０１〜６０５があたかも一枚のバッフル板のように機能する。これによって、バッフル効果を最大限に発揮することができ、小さな音量でも臨場感の高い音を再現することができる。また、これによって、最適な音場の範囲が広がり、それ故に、厳密な音場の設定が不要となる。
【００１７】
図２−２は、サイドスピーカの背面の状態を示す説明図（斜視図）である。図２−２において、２０５はサイドスピーカ収納箱であり、このサイドスピーカ収納箱２０５の中に、取り付けられたサイドスピーカ（図示を省略する）が収納される。また、２０６は、サイドスピーカ背面板である。このように、スピーカの背面への音漏れを最小限に抑えるために、サイドスピーカをサイドスピーカ収納箱２０５に収納し、サイドスピーカ背面板２０６をねじ止めすることで密閉性を高めている。
【００１８】
図示は省略するが、図２−１および図２−２と同様に、左スピーカ用のバッフル板がフレーム１０３に、バッフル・パネル６０１〜６０５と、略同一の平面になるように、すなわち両者の凹凸をなくするよう取り付けられる。
【００１９】
図３−１は、この発明の実施の形態にかかるオーディオ再生装置のフレーム部材とフロントスピーカとの取り付けの状態を示す説明図（斜視図）である。図３−１において、３０１は、図示を省略するセンタースピーカのバッフル板であり、３０２は、バッフル板３０１をフレーム１０４に取り付けるバッフル板取付具である。また、３０３〜３０７は、バッフル板３０１に設けられた、スピーカをはめ込むためのセンタースピーカ取付孔である。
【００２０】
このセンタースピーカ取付孔３０３〜３０７にそれぞれあらかじめ定められた径のスピーカ（図示を省略）をはめ込むことで取り付けをおこなう。バッフル板取付具３０２は、具体的にはたとえばＬ字金具である。バッフル板３０１が、フレーム１０４に取り付けられると、バッフル板４０１の表面が、フレーム１０４の前面とほぼ同じ面になるように固定する、あるいはバッフル板３０１の表面がフレームの前面よりも、後述するバッフル・パネルの厚さ分だけ飛び出す位置に固定する。
【００２１】
図３−２は、センタースピーカの背面の状態を示す説明図（斜視図）である。図３−２において、３０８はセンタースピーカ収納箱であり、このセンタースピーカ収納箱３０８の中に、取り付けられたセンタースピーカ（図示を省略する）が収納される。このように、スピーカの背面への音漏れを最小限に抑えるために、センタースピーカをセンタースピーカ収納箱３０８に収納することで密閉性を高めている。また、３０９は、コード取出口である。
【００２２】
（オーディオ再生装置の収納部材の構造）
図４は、この発明の実施の形態にかかるオーディオ再生装置の収納部材（ファニチャー）の構造を示す説明図（斜視図）であり、図５は、この発明の実施の形態にかかるオーディオ再生装置の収納部材の背面の構造を示す説明図（斜視図）である。図４において、４０１は天板であり、４０２は低域用スピーカ収納箱（左側）であり、４０３は低域用スピーカ収納箱（右側）であり、４０４はセンターキャビネットであり、４０５はセンターキャビネット用開閉扉（左側）であり、４０６はセンターキャビネット用開閉扉（右側）であり、４０７は低域用スピーカ・カバー（左側）であり、４０８は低域用スピーカ・カバー（右側）であり、４０９はキャスターであり、４１０は脚部である。また図５において、５０１は、センターキャビネット背面カバーである。
【００２３】
低域用スピーカ・カバーは、ほこりの侵入を防止するだけでなく、スピーカの存在を隠す目的もある。すなわち、実施の形態にかかるオーディオ再生装置は、部屋の壁（インテリア）の一部としての役割も担うため、スピーカがむき出しでない方がよい場合を想定している。したがって、カバーの色や材質なども、部屋のインテリアにあわせて選択するとよい。
【００２４】
低域用スピーカ収納箱（左側）４０２、低域用スピーカ収納箱（右側）４０３には、それぞれ左右の低域用スピーカ（図示を省略）を収納する。また、センターキャビネット４０４には、メディア再生装置を収納する。メディア再生装置として、アンプ、チューナ（テレビ用、ラジオ用）、ケーブルテレビ用のセットトップボックス、インターネット接続装置、ＣＤ再生装置、ＤＶＤ再生装置などを含む。
【００２５】
センターキャビネット４０４には、センターキャビネット用開閉扉（左側）４０５、センターキャビネット用開閉扉（右側）４０６が取り付けられ、観音開きにより開閉可能となる。センターキャビネット用開閉扉は、観音開きでなくてもよく、たとえば、横にスライドするスライドドア（図示を省略）であってもよい。その場合に、たとえば車いすなどでセンターキャビネット４０４に近づいて操作をする場合に、扉が邪魔にならなくてよい。さらに、スライドドアはリモコンなどを用いて、電動で開閉可能とすると、利便性および高級感が増すので、なおよい。
【００２６】
また、低域用スピーカ収納箱４０２、４０３には、それぞれ、低域用スピーカ・カバー４０７，４０８が着脱可能に装着される。低域用スピーカ・カバー４０７，４０８は、たとえば、スピーカから出力される音声を遮断することなく、ほこりなどの浸入を防ぐ素材（たとえば布製）によって構成される。
【００２７】
低域用スピーカ収納箱４０２、４０３とセンターキャビネット４０４は、センターキャビネット４０４を低域スピーカ収納箱４０２および４０３が両側から挟み込むようにそれぞれねじなどで連結され、その上に天板４０１が同様にねじなどで固定される。また、低域用スピーカ収納箱４０２、４０３には、キャスター４０９が設けられる。図示は省略するが、センターキャビネット４０４にもキャスター４０９を設けるようにしてもよい。さらに、低域用スピーカ収納箱４０２、４０３とセンターキャビネット４０４には、脚部４１０が設けられ、これらの脚部４１０によって、低域用スピーカ収納箱４０２、４０３とセンターキャビネット４０４の位置が固定される。
【００２８】
（オーディオ再生装置のパネル部材の構造）
図６は、この発明の実施の形態にかかるオーディオ再生装置のパネル部材の構造を示す説明図（斜視図）である。また、図７は、この発明の実施の形態にかかるオーディオ再生装置のパネル部材の別の構造を示す説明図（斜視図）である。図６は、パネル部材を裏側から見た図である。
【００２９】
図６において、６０１〜６０５は、バッフル・パネルであり、６０６はセンタースピーカ・カバーであり、６０７はサイドスピーカ・カバー（左側）であり、６０８はサイドスピーカ・カバー（右側）である。また６０９は表示装置領域である。また、図７において、７０１〜７０５は、バッフル・パネルであり、７０６はセンタースピーカ・カバーであり、７０７はサイドスピーカ・カバー（右側）であり、７０８はサイドスピーカ・カバー（左側）である、また７０９は表示装置領域である。バッフル・パネルをフレームに取り付けることによって、壁ユニットを構成する。
【００３０】
６１０は、フレーム部材に貼り付けるためのマジックテープ（登録商標）である。マジックテープ（登録商標）６１０を用いることによって、バッフル・パネル６０１〜６０５およびスピーカ・カバー６０６〜６０８をフレーム部材から容易に着脱することができる。バッフル・パネル６０１〜６０５はマジックテープ（登録商標）以外の部材によって貼り付けられるようにしてもよい。
【００３１】
バッフル・パネル６０１〜６０５は、音の反響効果を得るために、たとえば楽器などに用いる木製の板状であることが望ましい。色や模様は、設定する空間に併せて変更するとよい。バッフル・パネル６０１〜６０５は、一枚で構成されるのが最も好ましいが、素材のしなり、製造上、運搬上などの点を考慮して、複数のパネル６０１〜６０５に分割されている。ただし、その分割方法は、図６に限定されるものではなく、たとえば図７に示すバッフル・パネル７０１〜７０５に示すような分割用法であってもよい。
【００３２】
このバッフル・パネル６０１〜６０５あるいは７０１〜７０５が、バッフル板２０１、３０１と略同一の平面を形成することによって、バッフル板２０１、３０１とバッフル・パネル６０１〜６０５あるいは７０１〜７０５が一枚の広いバッフル板を形成することになり、バッフル効果をより効果的に発揮させることができる。これによって、音量を上げることなく、臨場感の高い音を再生することが可能となる。
【００３３】
（センターキャビネットの詳細な構成）
図８は、この発明の実施の形態にかかるオーディオ再生装置の収納部材（ファニチャー）のセンターキャビネットの構造を示す説明図（斜視図）である。また図９は、この発明の実施の形態にかかるオーディオ再生装置の収納部材のセンターキャビネットの背面の構造を示す説明図（斜視図）である。図８において、８０１，８０３はセンターキャビネット前面カバーであり、８０２，８０４はスライドテーブルであり、８０５はキャビネット内ラックである。また図９において、９０１はセンターキャビネット背面カバーであり、９０２，９０４は、背面カバー孔である。
【００３４】
メディア再生装置（チューナ、アンプ、ＤＶＤ再生装置、ＣＤ再生装置など）は、スライドテーブル８０２または８０４の上に載置される。メディア再生装置を安定しておけるように、メディア再生装置（各コンポーネント）の脚部にあわせたくぼみ（棚サグリ）をスライドテーブル８０２、８０４上に設ける。このようにして、各コンポーネントの位置出しを容易にした。これによって、後述するセンターキャビネット前面カバー８０１、８０３の取り付けも各コンポーネントと組み合わせ、および組み合わせたコンポーネント同士の調整が不要となり、より容易に設置をすることが可能となる。
【００３５】
スライドテーブル８０２または８０４上に載置されたメディア再生装置は、スライドデーブル８０２または８０４をスライドさせることによって、センターキャビネット４０４内へ収納される。メディア再生装置を取り出すときも同様に、スライドデーブル８０２または８０４をスライドさせることによって、センターキャビネット４０４内から取り出す。このような構成にすることによって、メディア再生装置の出し入れをより容易におこなうことができる。
【００３６】
メディア再生装置を収納する際に、センターキャビネット前面カバー８０１または８０３を矢印にそって立てることでほこりの浸入を防ぐことができるとともに、見た目の良さも強調することができる。センターキャビネット前面カバー８０１、８０３は、具体的には半透明のアクリル板などで構成するとよい。
【００３７】
また、センターキャビネット前面カバー８０１、８０３はメディア再生装置の形状（ディスク入口、操作ボタン、ディスプレイのデザイン）に合わせて孔を空けており、センターキャビネット前面カバー８０１、８０３を閉じた状態でも、メディア再生装置を操作できるようにしている。また、キャビネット内ラック８０５を設けることによって、片側に複数台のメディア再生装置を収納することができる。このキャビネット内ラック８０５もスライドできるようにするとよい。
【００３８】
図９において、センターキャビネット背面カバー９０１に複数の背面カバー孔９０２〜９０４を設けることによって、メディア再生装置から発生する熱の放熱効果を高めている。背面カバー孔９０２〜９０４から抜けた熱は、バッフル・パネル６０１〜６０５または７０１〜７０５の裏側（フレーム側）を通って、フレームの上部側から放出される。
【実施例】
【００３９】
図１０は、実施例にかかるオーディオ再生装置の全体の外観を示す説明図（正面図）である。また、図１１は、図１０に対応したフレーム部材の構造および表示装置を示す説明図（正面図）である。また、図１２は、実施例にかかるオーディオ再生装置の全体の外観を示す説明図（側面図）である。
【００４０】
図１０において、実施例にかかるオーディオ再生装置１０００は、横幅が２４００ｍｍ、高さが２１００ｍｍである。バッフル・パネル６０１の横幅が２４００ｍｍ、縦が５８８ｍｍである。バッフル・パネル６０２，６０３の横幅が３２４ｍｍ、縦が６２４ｍｍである。バッフル・パネル６０４，６０５の横幅が７７５ｍｍ、縦が３４８ｍｍである。センターキャビネット４０４（センターキャビネット用開閉扉４０５および４０６）の横幅が１２００ｍｍ、縦が４０４ｍｍである。低域用スピーカ収納箱４０２，４０３（低域用スピーカ・カバー４０７，４０８）の横幅が６００ｍｍ、縦が４０４ｍｍである。
【００４１】
図１１に示すように、６０９には５０インチのプラズマディスプレイ１１０１が設置されている。プラズマディスプレイ１１０１の表示部分の表面もバッフル板の一部として機能させる。そのため、バッフル・パネル６０１〜６０５とプラズマディスプレイ１１０１を含めた全体の凹凸をなくするようにするとよい。１１０１はプラズマディスプレイに限定されず、液晶テレビ、リアプロジェクションなど、大型の薄型テレビであればよい。
【００４２】
図１２に示すように、センターキャビネット４０４の奥行きが５８０ｍｍであり、フレーム部材１０１の奥行きが１２５ｍｍである。また、脚部４１０の高さが１００ｍｍである。また、天板４０１の厚さが９ｍｍである。
【００４３】
プラズマディスプレイ１１０１のフレームへの取付金具（図示を省略）は、前方からケンドン方式によって取り付けることができるようにし、これによって、プラズマディスプレイ１１０１を前方から取り外し可能とするとともに、プラズマディスプレイ１１０１を待ったままでの微妙な位置出しを不要にした。これによって、プラズマディスプレイ１１０１の取り替えの際に、オーディオ再生装置全体の位置を移動さえる必要がない。
【００４４】
図１２からもわかるように、バッフル・パネルの後方はフレーム構造となっており、フレーム間の空間が多く存在することから、煙突状の構造をなしており、センターキャビネット４０４内のメディア再生装置から発せられる熱を放熱可能にしている。これによって、音響的には密閉であるが、放熱しなければならない課題を解決している。さらに、ディジタルアンプを用いることにより放熱において有利であり、フレーム部分および下側の収納部材（ファニチャー）部分をさらに薄くすることが可能となる。また、配線をフレームとフレームの間の空間に隠すことが可能となる。
【００４５】
また、中高域用スピーカは薄い部分に設置し、低域用は下の部分へそれぞれ設置することで、音のバランスを取ることができる。また、下の部分に収納部材（ファニチャー）を備えることで、大きなフレームをより安定させることができる。また、この実施の形態にかかるオーディオ再生装置全体の大型化にともない、中高域と低域のそれぞれが出力される位置と視聴位置との距離が異なることで、位相差が生じてしまうことがある。ディジタルアンプを用いて再生することによって、上記放熱において有利なだけでなく、上記位相差を容易に解消することが可能になる。
【００４６】
図示は省略するが、オーディオ再生装置の周囲に照明用のライトを備えることで、オーディオ再生装置のインテリアとしての価値を向上させることができる。
【００４７】
また、表示装置とスピーカ、スピーカのバッフル板、メディア再生装置を除くと、表示装置用の台、すなわちテレビ台とすることもできる。テレビ台は、壁ユニットだけもよく、壁ユニット（フレーム、スピーカ、バッフル板、バッフル・パネル）とファニチャーによって構成されていてもよい。
【００４８】
以上説明したように、この実施の形態によれば、フレーム１０１〜１０４と、フレーム１０１〜１０４に取り付けられたスピーカおよびそのスピーカのバッフル板２０１と、フレームに貼り付けられたバッフル・パネル６０１〜６０５と、を備え、バッフル・パネル６０１〜６０５は、バッフル板２０１と略同一の平面を形成するようにフレームに貼り付けられている。これによって、バッフル板２０１、バッフル・パネル６０１〜６０５、表示装置（プラズマディスプレイ１１０１）が略同一の平面で構成され、さらにそれらが間隔をあけることなく設置されることによって、バッフル効果をより向上させ、音響に優れたオーディオ再生装置を提供することができる。
【００４９】
また、バッフル・パネル６０１〜６０５は、フレーム１０１〜１０４から着脱可能に取り付けられている。また、バッフル・パネル６０１〜６０５は、複数枚（６０１〜６０５または７０１〜７０５）から構成されており、各パネルごとに着脱可能に取り付けられている。
【００５０】
また、フレーム１０１〜１０４に取り付けられたプラズマディスプレイ１１０１を備えており、プラズマディスプレイ１１０１は、プラズマディスプレイ１１０１の表面がバッフル板２０１と略同一の平面を形成するようにフレーム１０１〜１０４に取り付けられている。さらに、フレーム１０１〜１０４を移動可能とするキャスター１０５を備えている。
【００５１】
また、フレーム部材に連結された収納部材（ファニチャー）を備えており、ファニチャーには、低域用スピーカおよびメディア再生装置を収納する。これによって、簡易に設置、撤去が可能で、音響に優れたオーディオ再生装置を提供するという効果を奏する。すなわち、通常のオーディオ再生システムでは、それぞれの機器が別体であるので、店舗で感じるのと同様の音場を再現するのは困難であったが、困難性を伴わず店舗と同様の音場を再現することが可能であり、設置が簡便である。
【００５２】
また、具体的には、構造強度の確保と軽量化を実現している。すなわち，壁ユニットの構造体に角パイプを使用し、それをファニチャー背面に直接連結することで、この実施の形態にかかるオーディオ再生装置全体の軽量化を図るとともに、この実施の形態にかかるオーディオ再生装置全体の構造強度を確保することができる。
【００５３】
また、分割によるオーディオ再生装置の移動性・運搬性の向上を実現している。すなわち、ファニチャー本体はセンターキャビネット４０４と左右の低域用スピーカ収納箱４０２，４０３の３分割構造として、小型化することで移動性・運搬性を向上した。また、フレームは、左右上下の４分割構造として、同様に小型化することで移動性・運搬性を向上した。
【００５４】
また、天板４０１、センターキャビネット用開閉扉４０５、４０６、壁板（バッフル・パネル６０１〜６０５）、グリル（低域用スピーカ・カバー４０７，４０８、センタースピーカ・カバー６０６，７０６、サイドスピーカ・カバー６０７，６０８，７０７，７０８）、側板は後付構造とし、これによって多色対応をすることができる。
【００５５】
また、壁ユニットとファニチャーと結合する際、ファニチャーの背面結合を採用するため、外観面（天面や側面）に取付孔がない構造である。このため、ファニチャー単体での外観の良さを向上させることができるとともに、ファニチャー部のみの単体で取引可能となる。
【００５６】
また、フレームにつき、角パイプとＬ字金具とを直接溶接することなく、ねじ止めを採用すること、また、角パイプのフレーム側に複数の下孔を設けることで、Ｌ字金具を容易に移動可能としている。これによって、異種のユニットが同じ金具で取り付け可能になり、取り付け汎用性が向上した。
【図１】
0004516131.tif 000002
【図２−１】
0004516131.tif 000003
【図２−２】
0004516131.tif 000004
【図３−１】
0004516131.tif 000005
【図３−２】
0004516131.tif 000006
【図４】
0004516131.tif 000007
【図５】
0004516131.tif 000008
【図６】
0004516131.tif 000009
【図７】
0004516131.tif 000010
【図８】
0004516131.tif 000011
【図９】
0004516131.tif 000012
【図１０】
0004516131.tif 000013
【図１１】
0004516131.tif 000014
【図１２】
0004516131.tif 000015